(57)【要約】【課題】顧客へのアピール性をアップさせ、販売促進や購買意欲促進に後傾できる腹巻用パッケージを提供すること。【解決手段】扁平に展開した筒状の腹巻９の上下方向寸法よりも大きく、前記扁平展開状態の腹巻９の左右方向幅寸法よりも小さい板状の台紙１と、前記台紙１の表面側の上下両端付近に設けられたストッパ片２，３と、前記台紙１の裏面側で左右両端付近の上下に設けられた係止片６ａ、６ｂ、７ａ、７ｂとを備え、前記台紙１の表面側に腹巻９を巻き付けて該腹巻９の上下両端を前記台紙１の表面側の上下両端付近に設けたストッパ片２，３で位置決めさせると共に、該腹巻９の左右両端を前記台紙１の左右両端から台紙１の裏面側に折り返して台紙１の裏面側上下に設けられた係止片６ａ、６ｂ、７ａ、７ｂに腹巻９の左右両端上下の生地折り返しループ部９ｃ、９ｄを係止保持させるようにした。【選択図】図１
2010058801.tif 000002
【特許請求の範囲】
【請求項１】
扁平に展開した筒状の腹巻の上下方向寸法よりも大きい上下方向寸法を有し、前記扁平展開状態の腹巻の左右方向幅寸法よりも小さい左右方向幅寸法を有する板状の台紙と、
前記台紙の表面側の上下両端付近に設けられ、腹巻の上下方向の上端及び下端の位置決めを行うストッパ片と、
前記台紙の裏面側で左右両端付近の上下に設けられた係止片とを備え、
前記台紙の表面側に腹巻を巻き付けて該腹巻の上下両端を前記台紙の表面側の上下両端付近に設けたストッパ片で位置決めさせると共に、該腹巻の左右両端を前記台紙の左右両端から台紙の裏面側に折り返して台紙の裏面側上下に設けられた係止片に腹巻の左右両端上下の生地折り返しループ部を係止保持させるようにしたことを特徴とする腹巻用パッケージ。
【請求項２】
前記台紙の左右両側部は、上下方向両端から中央部に向けて細幅にくびれた曲線形状とされていることを特徴とする請求項１に記載の腹巻用パッケージ。
【請求項３】
前記ストッパ片は、上側では付け根が上で舌片が下向きとなるように前記台紙を舌片状に切り起こして形成されており、下側では付け根が下で舌片が上向きとなるように前記台紙を舌片状に切り起こして形成されていることを特徴とする請求項１又は２に記載の腹巻用パッケージ。
【請求項４】
前記係止片は、前記台紙の上下両端に延設され、かつ、前記台紙の裏面側へ折り返し可能に設けられた上下の折り返し片の左右両側に切り込み形成されていることを特徴とする請求項１〜３の何れか１項に記載の腹巻用パッケージ。
【発明の詳細な説明】
【技術分野】
【０００１】
本発明は、腹部の冷えを防止したり、保温するために着用される腹巻の展示販売に供される腹巻用パッケージに関するものである。
【背景技術】
【０００２】
この種の腹巻は、腹部の冷え防止や保温を目的として着用され、このような目的を達成するために、種々の提案がなされてきている（例えば、特許文献１参照）。
【特許文献１】特開平１１−２６９７６１号公報
【発明の開示】
【発明が解決しようとする課題】
【０００３】
しかしながら、展示販売のためのパッケージとしては、特に工夫がされておらず、従来では、単に、折り畳んで袋入れした状態で展示していた。
ところが、このように腹巻を折り畳んで袋入れしたものでは、パンツと区分されず（素材、編み組織、色合い、風合いなどが類似していることによる）、顧客へのアピール性に乏しく、販売促進や購入意欲の喚起という面でも問題点があった。
本発明は、上記問題点に鑑みて提案されたもので、その目的とするところは、顧客へのアピール性をアップさせ、販売促進や購買意欲促進に貢献できる腹巻用パッケージを提供することにある。
【課題を解決するための手段】
【０００４】
前記目的を達成するために本発明は、扁平に展開した筒状の腹巻の上下方向寸法よりも大きい上下方向寸法を有し、前記扁平展開状態の腹巻の左右方向幅寸法よりも小さい左右方向幅寸法を有する板状の台紙と、前記台紙の表面側の上下両端付近に設けられ、腹巻の上下方向の上端及び下端の位置決めを行うストッパ片と、前記台紙の裏面側で左右両端付近の上下に設けられた係止片とを備え、前記台紙の表面側に腹巻を巻き付けて該腹巻の上下両端を前記台紙の表面側の上下両端付近に設けたストッパ片で位置決めさせると共に、該腹巻の左右両端を前記台紙の左右両端から台紙の裏面側に折り返して台紙の裏面側上下に設けられた係止片に腹巻の左右両端上下の生地折り返しループ部を係止保持させるようにしたことを特徴としている。
【０００５】
この構成によれば、顧客に腹巻であることを一目で判る状態に展示することができると共に、腹巻を台紙に装着することも容易とできる。また、台紙の上端側にフックを設けることにより、吊り下げ展示することができる。
前記台紙の左右両側部は、上下方向両端から中央部に向けて細幅にくびれた曲線形状とされていることが好ましい。
この構成によれば、台紙に装着した腹巻が、正面から見て、人体腹部に装着した場合のウエストラインをイメージさせることができる。
【０００６】
前記ストッパ片は、上側では付け根が上で舌片が下向きとなるように前記台紙を舌片状に切り起こして形成されており、下側では付け根が下で舌片が上向きとなるように前記台紙を舌片状に切り起こして形成されていることが好ましい。
この構成によれば、ストッパ片を台紙と一体に形成することができる。
前記係止片は、前記台紙の上下両端に延設され、かつ、前記台紙の裏面側へ折り返し可能に設けられた上下の折り返し片の左右両側に切り込み形成されていることが好ましい。
この構成によれば、係止片を台紙に一体に形成することができる。
【発明の効果】
【０００７】
本発明によれば、顧客へのアピール性をアップさせ、販売促進や購買意欲促進に貢献できる腹巻用パッケージを提供することができる。
【発明を実施するための最良の形態】
【０００８】
以下、本発明に係る腹巻用パッケージに実施形態を図面を参照して説明する。
図１〜図３において、１は台紙、２は上部ストッパ片、３は下部ストッパ片、４は上部折り返し片、５は下部折り返し片、６ａ、６ｂは上部側の係止片、７ａ、７ｂは下部側の係止片、８はフック、９は腹巻を示している。
台紙１は、扁平に展開した筒状の腹巻９の上下方向寸法よりも大きい上下方向寸法を有し、かつ、扁平展開状態の腹巻９の左右方向幅寸法よりも小さい左右方向幅寸法を有する板状とされ、板紙又は樹脂シートで構成されている。
【０００９】
上記台紙１の左右両側部１ａ、１ｂは、上下方向両端から中央部に向けて細幅にくびれた曲線形状とされている。そして、上記台紙１の左右両側部１ａ、１ｂの上下端部１ｃ、１ｄは、太幅になった後に再び細幅になるように曲線形状とされている。
上部ストッパ片２と下部ストッパ片３は、腹巻９の上下方向の上端及び下端の位置決めを行うために、台紙１の表面側の上下両端付近に設けられている。このストッパ片２，３は、上側の上部ストッパ片２では付け根が上で舌片が下向きとなるように前記台紙１を舌片状に切り起こして形成されており、下側の下部ストッパ片３では付け根が下で舌片が上向きとなるように前記台紙１を舌片状に切り起こして形成されている。
【００１０】
また、台紙１の上下端部には、上下の折り返し片４，５が延設され、この折り返し片４，５は、台紙１の裏面側へ折り返し可能に設けられている。
上部側の係止片６ａ、６ｂ及び下部側の係止片７ａ、７ｂは、上記上下の折り返し片４，５の左右両側に切り込み形成されている。この切り込み１０は、それぞれ２箇所ずつ対称形状で上下方向に沿って施し、切り込み１０の奥側を左右方向外側に屈曲させておくのが好ましい。これによって、係止片６ａ、６ｂ、７ａ、７ｂはそれぞれ２個ずつ、即ち、６ａ１、６ａ２、６ｂ１、６ｂ２、７ａ１、７ａ２、７ｂ１、７ｂ２のように形成される。そして、各係止片６ａ、６ｂ、７ａ、７ｂは、先端側を丸く形成（足の指のような形状に形成）しておくのが好ましい。
【００１１】
フック８は、台紙１の上部で左右方向中央部に形成された取付孔１ｅに別体のものを挿入して取り付けた場合を例示している。しかして、フック８は、台紙１に切り起こし形成させてもよい。
腹巻９は、丸編機で円筒状に編成された編生地で全体が構成されており、上下端部には袋状に折り返して形成したウエストバンド部９ａと裾バンド部９ｂとを有している。この腹巻９の編地を構成する糸は、例えば、ポリウレタン糸を芯糸とし、これにナイロン糸を巻き付け被覆したシングルカバリング糸、又は、ダブルカバリング糸が使用可能であり、その他、種々のものが使用可能である。
【００１２】
この腹巻９は、図３（Ａ）〜（Ｅ）に示すように、扁平展開状態としたものを上下の折り返し片４，５を台紙１の裏面側へ折り返した状態の台紙１の表面側に巻き付けて該腹巻９の上下両端を前記台紙１の表面側の上下両端付近に設けたストッパ片２，３で位置決めして把持させると共に、該腹巻９の左右両端を前記台紙１の左右両端から台紙１の裏面側に折り返して台紙１の裏面側上下に設けられた係止片６ａ、６ｂ、７ａ、７ｂに腹巻９の左右両端上下の生地折り返しループ部９ｃ、９ｄ、９ｅ、９ｆを係止保持させるものである。
【００１３】
この場合、係止片６ａ、６ｂ、７ａ、７ｂを２個ずつ設けてあること、及び、２個の係止片６ａ、６ｂ、７ａ、７ｂに腹巻９の左右両端上下の生地折り返しループ部９ｃ、９ｄ、９ｅ、９ｆを、それぞれ、左右方向外側の係止片６ａ１、６ｂ１、７ａ１、７ｂ１を乗り越えて、内側の係止片６ａ２、６ｂ２、７ａ２、７ｂ２に嵌め込むように装着係止することとによって、係止力を増加させ、かつ、左右方向内外の係止片間の切り目１０に生地を挟み込ませることによる挟持力の増加によって、腹巻９を台紙１に緊張状態で安定して抜け止め保持させることができる（図３（Ｅ）参照）。
【００１４】
上記切り込み１０の股部の奥側が左右方向外側に屈曲させてあることにより、生地折り返しループ部９ｃ、９ｄの抜け出しをより効果的に防止させることができる。
また、上記各係止片６ａ１、６ｂ１、７ａ１、７ｂ１、６ａ２、６ｂ２、７ａ２、７ｂ２の先端側を丸く形成してあることによって、腹巻９の左右両端上下の生地折り返しループ部９ｃ、９ｄ、９ｅ、９ｆの装着を容易かつ円滑に行うことができる。
なお、係止片６ａ、６ｂ、７ａ、７ｂを２個以上並設し、腹巻９の胴回りサイズの大小（例えば、Ｌ、Ｍ、Ｓ等のサイズ）に応じて、腹巻９の左右両端上下の生地折り返しループ部９ｃ、９ｄ、９ｅ、９ｆの係止位置を変更して装着するようにしてもよい。この場合では、各サイズに対して、台紙１を共用することができる。
【００１５】
このように腹巻９を装着した台紙１は、このままでフック８により商品陳列バー等に係止して吊り下げ展示することができ、また、透明な袋に入れて吊り下げ展示してもよい。
本発明に係る実施形態は、以上のように、扁平に展開した筒状の腹巻９の上下方向寸法よりも大きい上下方向寸法を有し、前記扁平展開状態の腹巻９の左右方向幅寸法よりも小さい左右方向幅寸法を有する板状の台紙１と、前記台紙１の表面側の上下両端付近に設けられ、腹巻９の上下方向の上端及び下端の位置決めを行うストッパ片２、３と、前記台紙１の裏面側で左右両端付近の上下に設けられた係止片６ａ、６ｂ、７ａ、７ｂとを備え、前記台紙１の表面側に腹巻９を巻き付けて該腹巻９の上下両端を前記台紙１の表面側の上下両端付近に設けたストッパ片２、３で位置決めさせると共に、該腹巻９の左右両端を前記台紙１の左右両端から台紙１の裏面側に折り返して台紙１の裏面側上下に設けられた係止片６ａ、６ｂ、７ａ、７ｂに腹巻９の左右両端上下の生地折り返しループ部７ｃ、７ｄを係止保持させるようにしたことによって、顧客に腹巻９であることを一目で判る状態に展示することができると共に、腹巻９を台紙１に装着することも容易とできる。また、台紙１の上端側にフック８を設けることにより、吊り下げ展示することができる。
【００１６】
また、前記台紙１の左右両側部１ａ、１ｂは、上下方向両端から中央部に向けて細幅にくびれた曲線形状としておくことによって、台紙１に装着した腹巻９が、正面から見て、人体腹部に装着した場合のウエストラインをイメージさせることができる。
また、前記ストッパ片２、３は、上側では付け根が上で舌片が下向きとなるように前記台紙１を舌片状に切り起こして形成し、下側では付け根が下で舌片が上向きとなるように前記台紙１を舌片状に切り起こして形成しておくことにより、ストッパ片２、３を台紙１と一体に形成することができる。
【００１７】
さらに、前記係止片６ａ、６ｂ、７ａ、７ｂは、前記台紙１の上下両端に延設され、かつ、前記台紙１の裏面側へ折り返し可能に設けられた上下の折り返し片４、５の左右両側に切り込み１０をもって形成しておくことによって、係止片６ａ、６ｂ、７ａ、７ｂを台紙１に一体に形成することができる。
本発明は、以上の実施形態からなるが、本発明は、この実施形態にのみ制約されるものではなく、種々変更して実施することができる。例えば、上下のストッパ片２，３は、台紙１とは別体のものを貼り付けてもよい。また、上下の係止片６ａ、６ｂ、７ａ、７ｂは、上下の折り返し片４，５を省略して、台紙１とは別体のものを台紙１の裏面側に貼り付けたり、或いは、台紙１を裏面側に切り起こして形成し、その数を適宜増やしてもよい。
【図面の簡単な説明】
【００１８】
【図１】（Ａ）（Ｂ）は、本発明に係る腹巻用パッケージの実施形態例を示す正面図と背面図である。
【図２】図１に使用した台紙の展開図である。
【図３】（Ａ）（Ｂ）は、図２の台紙の使用状態における正面側斜視図と背面側斜視図、（Ｃ）（Ｄ）は、（Ａ）（Ｂ）の台紙に巻き付けられる腹巻の正面側斜視図と背面側斜視図、（Ｅ）は台紙に巻き付けた腹巻の係止保持状態の横断平面図である。
【符号の説明】
【００１９】
１    台紙
２    上部ストッパ片
３    下部ストッパ片
４    上部折り返し片
５    下部折り返し片
６ａ、６ｂ  上部係止片
７ａ、７ｂ  下部係止片
８    フック
９    腹巻
１０    切り込み
【図１】
2010058801.tif 000003
【図２】
2010058801.tif 000004
【図３】
2010058801.tif 000005